(57)【要約】【課題】水分または湿気の多い環境下であっても、表示部の視認性低下を防止することができるＸ線検査装置を提供することである。【解決手段】Ｘ線検査装置１００は、Ｘ線照射装置２００によりＸ線が照射される。また、筐体内にＸ線照射装置２００が収納され、筐体の一部に少なくとも鉛直上斜め方向に向けた第１面７１１が形成される。そして、タッチパネル画面７００が筐体の第１面７１１に設けられ、タッチパネル画面７００により商品９００に関する検査情報が表示および操作される。保護カバー６００は、筐体の第１面７１１に沿って設けられる。【選択図】図１
2011102717.tif 000002
【特許請求の範囲】
【請求項１】
Ｘ線を用いて被検査物を検査するＸ線検査装置であって、
前記Ｘ線を照射するＸ線源と、
前記Ｘ線源を収納し、少なくとも鉛直上斜め方向に向けて設けられた第１面を有する筐体と、
前記筐体の第１面に設けられ、前記被検査物に関する検査情報を表示する表示部と、
前記筐体の第１面に沿って設けられ、前記表示部を保護する保護カバーと、を含み、
前記保護カバーは、前記表示部との間に空間を有し、かつ前記空間が上方閉塞および側方開放に設けられた、Ｘ線検査装置。
【請求項２】
前記保護カバーは、光吸収素材からなる、請求項１記載のＸ線検査装置。
【請求項３】
前記保護カバーは、ヒンジ部をさらに備え、
前記ヒンジ部は、前記筐体の上面に取り付けられた、請求項１または２記載のＸ線検査装置。
【請求項４】
前記保護カバーは、黒色系素材からなる、請求項３に記載のＸ線検査装置。
【請求項５】
前記表示部は、タッチパネルである、請求項４記載のＸ線検査装置。
【発明の詳細な説明】
【技術分野】
【０００１】
本発明は、物品にＸ線を照射し、物品内の異物を検出するＸ線検査装置に関する。
【背景技術】
【０００２】
従来、物品内の異物を検出するためにＸ線検査装置等が使用されている。これらのＸ線検査装置は、食品などの物品を検査する場合、定期的に洗浄が行われている。例えば、特許文献１には、被検査物の搬送用のコンベアを備えたＸ線検査装置において、比較的簡単な構成のもとに実質的に水洗いが可能なＸ線検査装置について開示されている。
【０００３】
特許文献１記載のＸ線検査装置においては、被検査物を搬送するコンベアと、そのコンベアの上方に配置されたＸ線源と、上記コンベアの下方に配置されて上記Ｘ線源に対向するＸ線検出器を備えたＸ線検査装置において、上記コンベアが、一枚の金属板からなる底板を備えたコンベア室内に配置されているとともに、当該コンベアの駆動用モータを含む電装部品の一部が、上記Ｘ線検出器とともに上記底板を介してコンベア室の下部に設けられたコンベア下部室内に収容され、かつ、上記Ｘ線検出器の配設位置に対応して上記底板にはスリット状の小窓が形成され、その小窓は非金属材料からなる板材により水密に閉じられていることを特徴とするものである。
【先行技術文献】
【特許文献】
【０００４】
【特許文献１】特開２００３−５０２１４号公報
【発明の概要】
【発明が解決しようとする課題】
【０００５】
しかしながら、Ｘ線検査装置を水洗いする場合、Ｘ線検査装置の表示部に水滴等が溜まる場合がある。例えば、多数の水滴が表示部に付着した場合、作業者は、表示部の表示が滲んで見難くなり、異物混入の判断が困難となる。
【０００６】
また、湿気の多い環境下においてＸ線検査装置を使用する場合、Ｘ線検査装置の表示部にくもりが発生する場合があり、作業者は、表示部の表示が滲んで見難くなり、異物混入の判断が困難となる。
【０００７】
本発明の目的は、水分または湿気の多い環境下であっても、表示部の視認性低下を防止することができるＸ線検査装置を提供することである。
【課題を解決するための手段】
【０００８】
（１）
一局面に従うＸ線検査装置は、Ｘ線を用いて被検査物を検査するＸ線検査装置であって、Ｘ線を照射するＸ線源と、Ｘ線源を収納し、少なくとも鉛直上斜め方向に向けて設けられた第１面を有する筐体と、筐体の第１面に設けられ、被検査物に関する検査情報を表示する表示部と、筐体の第１面に沿って設けられ、表示部を保護する保護カバーと、を含み、保護カバーは、表示部との間に空間を有し、かつ空間が上方閉塞および側方開放に設けられたものである。
【０００９】
Ｘ線検査装置は、Ｘ線源によりＸ線が照射される。また、筐体内にＸ線源が収納され、筐体の一部に少なくとも鉛直上斜め方向に向けた第１面が形成される。そして、表示部が筐体の第１面に設けられ、表示部により被検査物に関する検査情報が表示および操作される。保護カバーは、筐体の第１面に沿って設けられ、表示部を保護する。
【００１０】
この場合、Ｘ線源から熱が発生し、筐体の第１面から当該熱が放出される。当該熱により周囲の空気が温められ、緩やかな上方気流が発生する。当該上昇気流が保護カバーと表示部との間に設けられた空間に沿って上昇する。そして、保護カバーが、表示部との間に空間を形成し、当該空間が上方閉塞および側方開放となるように設けられているので、当該上昇気流は、側方に向けての気流の流れとして流出される。その結果、保護カバーと表示部との間の空間内のエアーを循環させ、新たな上昇気流を生成することができる。また、空気内の空気および保護カバー、または表示部近傍の水分を温められた空気内に取り込むため、水滴の発生を防止し、表示部の視認性を高めることができる。
【００１１】
（２）
保護カバーは、光吸収素材からなることが好ましい。
【００１２】
この場合、保護カバーは、光吸収素材からなるので、光を吸収し、熱を発生することで、当該空間の空気の上昇気流をさらに生成し、保護カバーと表示部との間の空間内のエアーを循環させることができる。
【００１３】
（３）
保護カバーは、ヒンジ部をさらに備え、ヒンジ部は、筐体の上面に取り付けられてもよい。
【００１４】
この場合、保護カバーのヒンジ部が、筐体の上面に取り付けられているので、保護カバーをＸ線検査装置の筐体の上方にヒンジ部を軸として回動させることができる。その結果、表示部を操作する場合に、保護カバーを容易にかつ安全に移動させることができる。
【００１５】
（４）
保護カバーは、黒色系素材からなることが好ましい。
【００１６】
この場合、保護カバーは、黒色系素材からなるので、光を吸収し、熱を発生することで、当該空間の空気の上昇気流をさらに生成し、保護カバーと表示部との間の空間内のエアーを循環させることができる。
【００１７】
（５）
表示部は、タッチパネルであってもよい。
【００１８】
この場合、表示部は、タッチパネルであるので、ヒンジ部を軸として保護カバーを開く場合（筐体の第１面から離す方向に回動した位置）、容易にタッチパネルの操作を行うことができる。また、保護カバーを閉じている場合（筐体の第１面に沿って、かつ表示部に対向する位置）には、空間が形成されているので、保護カバーに誤って接触した場合であっても、タッチパネルの誤操作を防止することができる。
【発明の効果】
【００１９】
本発明に係るＸ線検査装置においては、水分または湿気の多い環境下であっても、表示部の視認性低下を防止することができる。
【図面の簡単な説明】
【００２０】
【図１】本発明に係るＸ線検査装置の一例を示す模式的外観図
【図２】本発明に係るＸ線検査装置の内部構造の一例を示す模式的斜視図
【図３】Ｘ線検査装置の保護カバーの一例を説明する模式図
【図４】Ｘ線検査装置の保護カバーの一例を説明する模式図
【図５】保護カバーを開いた状態の一例を示す模式的断面図
【図６】Ｘ線検査装置の保護カバーの他の例を示す模式的斜視図
【図７】保護カバーの構成に止め具をさらに追加した場合を説明するための模式的斜視図
【図８】保護カバーの構成に止め具をさらに追加した場合を説明するための模式的斜視図
【発明を実施するための最良の形態】
【００２１】
以下、本発明に係る実施の形態において図面を用いて説明する。
（一実施の形態）
図１は、本発明に係るＸ線検査装置１００の一例を示す模式的外観図であり、図２は、本発明に係るＸ線検査装置１００の内部構造の一例を示す模式的斜視図である。
【００２２】
図１に示すように、Ｘ線検査装置１００には、Ｘ線検査室３００が形成されている。また、Ｘ線検査室３００内には、Ｘ線照射装置２００が内蔵されており、Ｘ線検査装置１００のＸ線検査室３００を貫通するように、ベルトコンベア８００が設けられている。
【００２３】
また、図１のＸ線検査室３００の開口部（入口および出口）には、Ｘ線漏洩防止カーテン５００が設けられている。それにより、Ｘ線検査室３００からＸ線が外部に漏洩することを防止することができる。
【００２４】
また、図１に示すように、Ｘ線検査装置１００のタッチパネル画面７００の外側には、保護カバー６００が設けられている。作業者は、後述するようにＸ線検査装置１００の保護カバー６００を開いて、タッチパネル画面７００を操作することによりＸ線検査装置１００を駆動させる。作業者は、ベルトコンベア８００に被検査物である商品９００（図２参照）を載置させて搬送させ、Ｘ線検査装置１００のＸ線検査室３００内において異物混入等がないか否かの検査を行う。以下、Ｘ線検査室３００内の具体例について説明する。
【００２５】
図２に示すように、Ｘ線検査室３００の上方には、Ｘ線照射装置２００が設けられ、ベルトコンベア８００の内側にＸ線ラインセンサ４００が内蔵されている。Ｘ線ラインセンサ４００は、シンチレータおよびＰＤＡ（フォトダイオード）からなる多数のセンサ４０１から構成されている。Ｘ線ラインセンサ４００は、ベルトコンベア８００の搬送方向（矢印Ｌ１の方向）に直交する向きに一列に配置されている。
【００２６】
図２に示すように、Ｘ線照射装置２００は、Ｘ線ラインセンサ４００に向けて扇状のＸ線（領域Ｓ１）を照射する。この場合、商品９００が、移動しつつ扇状のＸ線（領域Ｓ１）を受けるようベルトコンベア８００上を搬送される。その結果、商品９００を透過したＸ線がＸ線ラインセンサ４００により検出されつつ、商品９００が移動し、商品９００全体の異物検査が行われる。
【００２７】
次に、図３および図４は、Ｘ線検査装置１００の保護カバー６００の一例を説明する模式図である。図３はＸ線検査装置１００の保護カバー６００およびタッチパネル画面７００の周囲を拡大した模式的斜視図であり、図４はＸ線検査装置１００の保護カバー６００とタッチパネル画面７００との関係を示す模式的断面図である。
【００２８】
図３および図４に示すように、保護カバー６００は、保護カバー板部材６１０、ＳＵＳ（ステンレス鋼）またはステンレス等からなる金属板６２０、ヒンジ機構６３０および固定ネジ６４０からなる。
【００２９】
図３および図４に示すように、Ｘ線検査装置１００の筐体の天面７１０（上部水平面）上にヒンジ機構６３０が設けられる。当該ヒンジ機構６３０にＳＵＳからなる金属板６２０が取り付けられる。
【００３０】
金属板６２０は、ほぼＸ線検査装置１００の筐体の天面７１０および第１面７１１に沿う形状からなる。すなわち、金属板６２０は略Ｌ字状からなる。また、第１面７１１は、天面７１０と鈍角となるように設けられ、第１面７１１は斜め上方向に面するように設けられている。また、金属板６２０のＬ字状の端部には、保護カバー板部材６１０が固定ネジ６４０により固定される。
【００３１】
その結果、図４に示すように、保護カバー板部材６１０と第１面７１１およびタッチパネル画面７００との間に間隙が設けられる。図４に示すように、当該間隙は、金属板６２０により上方閉塞に設けられ、図３に示すように、当該間隙は、側方開放に設けられる。
【００３２】
また、保護カバー板部材６１０は、光吸収素材または黒色系部材からなる。具体的には、透明度を有する黒または褐色のアクリル板等からなる。
【００３３】
続いて、保護カバー６００の効果について説明する。図４に示すＸ線照射装置２００は、動作時（Ｘ線照射時）に熱を発生させる。当該熱は、筐体の第１面７１１の下方を熱することにより、第１面７１１の下方の周囲の空気が熱せられる。その結果、上昇気流（矢印ＵＦ１）が発生され、当該上昇気流（矢印ＵＦ１）が、保護カバー板部材６１０に接触しつつ、上方へ移動する。そして、金属板６２０により上方閉塞に設けられているので、図３に示すように、間隙の側方から上昇気流（矢印ＵＦ１）が流出される。
【００３４】
その結果、水分または多湿の環境下においても、当該上昇気流（矢印ＵＦ１）によって間隙の空気を換気できるので、タッチパネル画面７００の水滴および曇りを防止することができ、タッチパネル画面７００の視認性の低下を防止することができる。
【００３５】
次に、図４および図５を用いて保護カバー６００の動作について説明する。図５は、保護カバー６００を開いた状態の一例を示す模式的断面図である。
【００３６】
図５に示すように、保護カバー６００は、ヒンジ機構６３０の軸を中心として、矢印Ｒ６３の方向に回動することができる。その結果、保護カバー６００が開いた状態となり、タッチパネル画面７００を作業者が操作することができる。
【００３７】
以上のように、本発明に係るＸ線検査装置１００においては、Ｘ線照射装置２００から熱が発生し、筐体の第１面７１１の下方から当該熱が放出される。当該熱により周囲の空気が温められ、緩やかな上方気流（矢印ＵＦ１）が発生する。当該上昇気流が保護カバー６００とタッチパネル画面７００との間に設けられた空間に沿って上昇する。そして、保護カバー６００が、タッチパネル画面７００との間に空間を形成し、当該空間が上方閉塞および側方開放となるように設けられているので、当該上昇気流は、側方に向けての気流の流れとして流出される。
【００３８】
その結果、保護カバー６００とタッチパネル画面７００との間の空間内のエアーを循環させ、新たな上昇気流を生成することができる。また、温められた空気の上昇気流により空間内の飽和水蒸気量を低下させて、水分または湿度の多い環境下であっても水滴の発生を防止し、タッチパネル画面７００の視認性を高めることができる。
【００３９】
また、保護カバー６００は、光吸収素材または黒色系素材からなるので、光を吸収し、熱を発生することで、当該空間の空気の上昇気流をさらに生成し、保護カバー６００とタッチパネル画面７００との間の空間内のエアーを循環させることができる。
【００４０】
さらに、保護カバー６００のヒンジ機構６３０が、筐体の天面７１０に取り付けられているので、ヒンジ機構６３０を軸として保護カバー６００を開く場合（筐体の第１面から離す方向に回動した位置）、容易にタッチパネル画面７００の操作を行うことができる。また、保護カバー６００を閉じている場合（筐体の第１面７１１に沿って、かつタッチパネル画面７００に対向する位置）には、空間が形成されているので、保護カバー６００に誤って接触した場合であっても、タッチパネル画面７００の誤操作を防止することができる。
また、ヒンジ機構６３０を上面に設けることにより、当該間隙を上方閉塞にすることができ、防水および防滴の観点からの好ましい。また、保護カバー６００によりＸ線検査装置１００の水洗いも可能となる。
【００４１】
（他の例）
次に、図６は、Ｘ線検査装置１００の保護カバー６００の他の例を示す模式的斜視図である。
【００４２】
図６に示す保護カバー６００ａは、保護カバー板部材６１０、下方固定部材６３１および側方支持部材６３２、６３３からなる。
【００４３】
保護カバー６００ａにおいては、保護カバー板部材６１０を上方からスライドさせて矢印ＩＮ６１０の方向に挿入することができる。それにより、Ｌ字状部材からなる下方固定部材６３１および側方支持部材６３２、６３３により保護カバー板部材６１０が保持される。
【００４４】
この場合、Ｘ線照射装置２００から発せられた熱が、第１面７１１に伝わり、第１面７１１の周囲の空気が熱せられ上昇気流となり、下方固定部材６３１および側方支持部材６３２の間で、かつ保護カバー板部材６１０とタッチパネル画面７００との間の間隙、下方固定部材６３１および側方支持部材６３３の間で、かつ保護カバー板部材６１０とタッチパネル画面７００との間の間隙、の両方から当該上昇気流が上方へ放出される。それにより、水分または多湿の環境下においても、水滴および曇りを防止することができ、タッチパネル画面７００の視認性の低下を防止することができる。
【００４５】
（さらに他の例）
次に、図７および図８は、保護カバー６００の構成に止め具をさらに追加した場合を説明するための模式的斜視図である。
【００４６】
図７に示すように、保護カバー６００ｂは、保護カバー板部材６１０、ＳＵＳまたはステンレス等からなる金属板６２０、ヒンジ機構６３０、固定ネジ６４０および一対の固定部材６５１からなる。
【００４７】
一対の固定部材６５１は、保護カバー板部材６１０の端部近傍でかつ左右にそれぞれ設けられ、固定および開放を行うことができるものである。一対の固定部材６５１を固定することにより、保護カバー板部材６１０のヒンジ機構６３０を軸とした回動（図５の矢印Ｒ６３の方向）を防止することができ、一対の固定部材６５１を開放することにより、保護カバー板部材６１０のヒンジ機構６３０を軸とした回動（図５の矢印Ｒ６３の方向）を行うことができる。
【００４８】
また、図８に示すように、保護カバー６００ｃは、保護カバー板部材６１０、ＳＵＳまたはステンレス等からなる金属板６２０、ヒンジ機構６３０、固定ネジ６４０および固定部材６５２からなる。
【００４９】
固定部材６５２は、保護カバー板部材６１０の下端部近傍に設けられ、固定および開放を行うことができるものである。固定部材６５２を固定することにより、保護カバー板部材６１０のヒンジ機構６３０を軸とした回動（図５の矢印Ｒ６３の方向）を防止することができ、固定部材６５２を開放することにより、保護カバー板部材６１０のヒンジ機構６３０を軸とした回動（図５の矢印Ｒ６３の方向）を行うことができる。
【００５０】
なお、上記の実施の形態においては、保護カバー板部材６１０を光吸収部材または黒色系部材からなることとしているが、これに限定されず、透明板部材からなってもよく、他の板部材からなってもよい。
また、保護カバー板部材６１０を平板からなることとしているが、曲面を有する板部材からなってもよい。
【００５１】
さらに、ヒンジ機構６３０を２個設けることとしているが、これに限定されず、他の任意の個数用いてもよい。
金属板６２０は、ＳＵＳのＬ字状からなることとしているが、これに限定されず、他の任意の部材、樹脂製、他の金属部材からなってもよい。
さらに、保護カバー板部材６１０および金属板６２０を設けることとしているが、これに限定されず、保護カバー板部材６１０から構成してもよい。
【００５２】
なお、上記のさらに他の例においては、固定部材を保護カバー板部材６１０の左右下端部に２個または下端部に１個設けることとしたが、これに限定されず、ヒンジ機構６３０を軸とした回動を固定できればよく、任意の数で任意の位置に設けてもよい。
【００５３】
本実施の形態においては、商品９００が被検査物に相当し、Ｘ線検査装置１００がＸ線検査装置に相当し、Ｘ線照射装置２００がＸ線源に相当し、第１面７１１が筐体の第１面に相当し、タッチパネル画面７００が表示部およびタッチパネルに相当し、間隙が空間に相当し、保護カバー６００が保護カバーに相当し、ヒンジ機構６３０がヒンジ部に相当し、天面７１０が筐体の上面に相当する。
【００５４】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００５５】
２００  Ｘ線照射装置
４００  Ｘ線ラインセンサ
９００  商品
９８０  異物
１００  Ｘ線検査装置
６００，６００ａ，６００ｂ，６００ｃ  保護カバー
６１０  保護カバー板部材
６２０  金属板
６３０  ヒンジ機構
６４０  固定ネジ
７００  タッチパネル画面
７１０  天面
７１１  第１面
８００  ベルトコンベア
【図１】
2011102717.tif 000003
【図２】
2011102717.tif 000004
【図３】
2011102717.tif 000005
【図４】
2011102717.tif 000006
【図５】
2011102717.tif 000007
【図６】
2011102717.tif 000008
【図７】
2011102717.tif 000009
【図８】
2011102717.tif 000010